(57)【要約】【課題】圧入時、ばり等が噛み込んだ場合でも圧入荷重が大きくならないようにする。【解決手段】圧力容器２と、イグナイタ部３，４と、ガス発生剤５ａ，５ｂを含むインフレータ１１である。圧力容器２は、アダプター２ｃａ，２ｃｂを接合したベース２ｂと、ガスの噴出孔２ａａを設けたディフューザ２ａを有する。イグナイタ部３，４は、アダプター２ｃａ，２ｃｂに圧入したイグナイタチューブ７、2ndカップ８内に点火器３ａ，４ａを収容した構成である。ガス発生剤５ａ，５ｂは、イグナイタ部３，４からの着火が可能なガス発生剤充填部に収容している。アダプター２ｃａ，２ｃｂへのイグナイタチューブ７、2ndカップ８の圧入部における接触面に凹部１２を形成する。【効果】圧入荷重が大きくならず、圧入部における接触面への潤滑油の塗布を省略できる。【選択図】図１
2015013546.tif 000002
【特許請求の範囲】
【請求項１】
エアバッグを展開させるためのガスを発生するエアバッグ用インフレータであって、
圧力容器と、イグナイタ部と、ガス発生剤を含み、
前記圧力容器は、ベースにアダプターを接合したベース部と、前記ベースに接合され、インフレータ内部で発生したガスの噴出孔を備えたディフューザ部を有し、
前記イグナイタ部は、前記アダプターに圧入した外筒内に点火器が収容された構成であり、
前記ガス発生剤は、前記イグナイタ部からの着火が可能な前記圧力容器内のガス発生剤充填部に収容されており、
前記アダプターへの外筒の圧入部における接触面に凹部を形成したことを特徴とするエアバッグ用インフレータ。
【請求項２】
前記凹部は、前記アダプター、或いは前記外筒のどちらか一方に形成されていることを特徴とする請求項１に記載のエアバッグ用インフレータ。
【請求項３】
前記凹部は、前記アダプターと前記外筒の両方に形成されていることを特徴とする請求項１に記載のエアバッグ用インフレータ。
【請求項４】
前記凹部は、前記圧入部の圧入開始部分近傍にのみ形成されていることを特徴とする請求項１〜３の何れかに記載のエアバッグ用インフレータ。
【請求項５】
前記凹部は、鋸刃状の螺旋溝であることを特徴とする請求項１〜４の何れかに記載のエアバッグ用インフレータ。
【請求項６】
前記鋸刃状の螺旋溝は、ねじ切削によって形成されたものであることを特徴とする請求項５に記載のエアバッグ用インフレータ。
【請求項７】
前記鋸刃状の螺旋溝のピッチは０．２mm以上、０．３５mm以下であることを特徴とする請求項５又は６に記載のエアバッグ用インフレータ。
【請求項８】
前記外筒はイグナイタチューブであることを特徴とする請求項１〜７の何れかに記載のエアバッグ用インフレータ。
【請求項９】
前記外筒はイグナイタチューブと2ndカップであることを特徴とする請求項１〜７の何れかに記載のエアバッグ用インフレータ。
【請求項１０】
前記圧力容器と前記ガス発生剤充填部との間に、前記圧力容器の側壁内面に沿って設けられたフィルターを備えていることを特徴とする請求項１〜９の何れかに記載のエアバッグ用インフレータ。
【発明の詳細な説明】
【技術分野】
【０００１】
本発明は、安全装置として自動車に設置されるエアバッグに供給するガスを発生するインフレータに関するものである。
【背景技術】
【０００２】
エアバッグ装置は、インフレータで発生させたガスによりエアバッグを展開させることで、衝突の際の衝撃から乗員を保護するものである。
【０００３】
図４はデュアルステージタイプのインフレータの構造の一例を説明する中央縦断面図である。このインフレータ１は、圧力容器２の内部に、第１，２のイグナイタ部３，４と、これら第１，２のイグナイタ部３，４により着火されてガスを発生する第１，２のガス発生剤５ａ，５ｂと、発生したガス中の固形残渣を吸着するフィルター６を配置した構成である。
【０００４】
このうち、前記圧力容器２は、ディフューザ２ａと、このディフューザ２ａに接続するベース２ｂからなる構成で、前記ディフューザ２ａの側壁にガスの噴出孔２ａａを形成する一方、前記ベース２ｂに２個のアダプター２ｃａ，２ｃｂを接合している。
【０００５】
また、前記第１のイグナイタ部３は、前記一方のアダプター２ｃａに嵌合させたイグナイタチューブ７の内部に、前記一方のアダプター２ｃａに取付けた点火器３ａと、この点火器３ａの着火エネルギーを瞬時に増幅する伝火薬３ｂを収容した構成である。
【０００６】
一方、第２のイグナイタ部４は、前記他方のアダプター２ｃｂに嵌合させた2ndカップ８の内部に、前記他方のアダプター２ｃｂに取付けた点火器４ａを収容した構成である。前記2ndカップ８は、側壁に貫通孔８ａａを設けたキャップ８ａと、このキャップ８ａで上部を覆ったチューブ８ｂとで構成されている。
【０００７】
そして、前記第２のガス発生剤５ｂは、前記2ndカップ８の内部の第２のガス発生剤充填部に装入されている。また、前記第１のガス発生剤５ａは、前記イグナイタチューブ７の上方に挿入した1stカップ９の内部と前記2ndカップ８の外部の第の１ガス発生剤充填部に装入されている。前記1stカップ９の底壁には前記伝火薬３ｂの着火を第１のガス発生剤５ａに伝える貫通孔９ａが形成されている。
【０００８】
上記インフレータ１の場合、感知した衝突エネルギー値が余り危険でないと判断した時には、第１のイグナイタ部３の点火器３ａのみを作動させて伝火薬３ｂを着火し、1stカップ９の貫通孔９ａを通って第１のガス発生剤５ａを着火し、ガスを発生させる。発生したガスはフィルター６を通ってディフューザ２ａのガス噴出孔２ａａから噴出してエアバッグを展開させる。
【０００９】
一方、感知した衝突エネルギー値が危険であると判断した時には、第１のイグナイタ部３の点火器３ａに加えて第２のイグナイタ部４の点火器４ａも作動させて第１，２のガス発生剤５ａ，５ｂを着火し、多くのガスを発生させて速い速度でエアバッグを展開する。
【００１０】
なお、第２のガス発生剤５ｂの着火により発生したガスは、キャップ８ａの貫通孔８ａａから第１のガス発生剤充填部に至り、フィルター６を通ってディフューザ２ａの噴出孔２ａａから噴出する。
【００１１】
図４中の１０は、インフレータ１の振動による第１のガス発生剤５ａの移動を防いで変形等を防止する目的で、ディフューザ２ａの天井壁内側に設置されたガラス繊維製のクッション部材である。
【００１２】
ところで、上記インフレータ１におけるアダプター２ｃａ，２ｃｂへのイグナイタチューブ７や2ndカップ８の取付けは、圧入によって行うのが一般的である（例えば特許文献１の段落００３３の第６行参照）。
【００１３】
しかしながら、アダプター２ｃａ，２ｃｂへのイグナイタチューブ７や2ndカップ８の圧入部は、図４に示すような円筒面である。従って、圧入時にかじり等で発生したばり等がアダプター２ｃａ，２ｃｂとイグナイタチューブ７や2ndカップ８との接触面に噛み込んだ場合は圧入荷重が大きくなるという問題があるので、前記接触面に潤滑剤を塗布して圧入荷重が大きくならないようにしている。
【先行技術文献】
【特許文献】
【００１４】
【特許文献１】特開２０１０−１４３２７０号公報
【発明の概要】
【発明が解決しようとする課題】
【００１５】
本発明が解決しようとする問題点は、アダプターへのイグナイタチューブや2ndカップの圧入時に、かじり等で発生したばり等がアダプターとイグナイタチューブや2ndカップとの接触面に噛み込んだ場合、圧入荷重が大きくなるという点である。
【課題を解決するための手段】
【００１６】
本発明は、アダプターへのイグナイタチューブや2ndカップの圧入時に、かじり等で発生したばり等がアダプターとイグナイタチューブや2ndカップとの接触面に噛み込んだ場合でも、圧入荷重が大きくならないようにすることを目的としてなされたものである。
【００１７】
上記目的を達成するために、本発明は、
エアバッグを展開させるためのガスを発生するエアバッグ用インフレータであって、
圧力容器と、イグナイタ部と、ガス発生剤を含み、
前記圧力容器は、ベースにアダプターを接合したベース部と、前記ベースに接合され、インフレータ内部で発生したガスの噴出孔を備えたディフューザ部を有し、
前記イグナイタ部は、前記アダプターに圧入した外筒内に点火器が収容された構成であり、
前記ガス発生剤は、前記イグナイタ部からの着火が可能な前記圧力容器内のガス発生剤充填部に収容されており、
前記アダプターへの外筒の圧入部における接触面に凹部を形成したことを最も主要な特徴としている。
【００１８】
本発明は、アダプターへの外筒の圧入部における接触面に凹部を形成するので、アダプターへの外筒の圧入時に、かじり等で発生したばり等が接触面に噛み込んだ場合でも、ばり等を凹部に逃がして圧入荷重が大きくなることを抑制できる。また、形成した凹部の接触面分だけ圧入部の接触面積が減少するので圧入荷重が低減する。
【００１９】
前記凹部は、簡易的にはねじ切削によって形成可能である。この凹部は、アダプター或いは外筒の何れか一方にのみ形成することが好ましい。前記外筒は、イグナイタチューブや、デュアルタイプインフレータの2ndカップ等、アダプターの外周部分に保持される筒状の部材を意味する。
【発明の効果】
【００２０】
本発明では、アダプターへの外筒の圧入時に、かじり等で発生したばり等が接触面に噛み込んだ場合でも、アダプターへの外筒の圧入部における接触面に形成した凹部に前記ばり等を逃がすので、圧入荷重が大きくなることを抑制できる。従って、アダプターへの外筒の圧入部における接触面に潤滑油を塗布する工程を省略できる。また、形成した凹部の接触面分だけ圧入部の接触面積が減少するので圧入荷重が低減する。
【図面の簡単な説明】
【００２１】
【図１】本発明のデュアルステージタイプのインフレータを示した図で、（ａ）は中央縦断面図、（ｂ）は（ａ）のＡ部拡大図、（ｃ）は（ａ）のＢ部拡大図、（ｄ）は（ａ）のＡ部の他の例を示した拡大図である。
【図２】本発明のインフレータの効果を示した図である。
【図３】本発明のシングルステージタイプのインフレータを示した図で、（ａ）は中央縦断面図、（ｂ）は（ａ）のＣ部拡大図である。
【図４】従来のデュアルステージタイプのインフレータを示した図で、（ａ）は中央縦断面図、（ｂ）は（ａ）のＤ部拡大図、（ｃ）は（ａ）のＥ部拡大図である。
【発明を実施するための形態】
【００２２】
本発明では、アダプターへのイグナイタチューブや2ndカップ等の圧入時に、かじり等で発生したばり等がアダプターとイグナイタチューブや2ndカップ等との接触面に噛み込んだ場合でも、圧入荷重が大きくならないようにするという目的を達成するものである。
【００２３】
本発明では、上記目的を、アダプターへのイグナイタチューブや2ndカップ等の圧入部における接触面に凹部を形成することで実現した。
【実施例】
【００２４】
以下、本発明の実施例を、図１を用いて説明する。
図１は本発明のデュアルステージタイプのインフレータを示した図である。
【００２５】
本発明のインフレータ１１は、圧力容器２の内部に、第１、第２のイグナイタ部３，４、各イグナイタ部３，４での着火によりガスを発生する第１、第２のガス発生剤５ａ，５ｂ、及びフィルター６を収容した構成である。
【００２６】
このうち、圧力容器２は、ベース部と、このベース部に接合されるディフューザ部を有している。このうち、ベース部は、ベース２ｂに２個のアダプター２ｃａ，２ｃｂを接合した構成であり、ディフューザ部は、ディフューザ２ａの側壁に、インフレータ１１の内部で発生したガスの噴出孔２ａａを設けた構成である。
【００２７】
また、前記第１のイグナイタ部３は、前記一方のアダプター２ｃａに設置した点火器３ａと、この点火器３ａの着火エネルギーを瞬時に増幅する伝火薬３ｂを、一方のアダプター２ｃａに圧入したイグナイタチューブ７の内部に収容した構成である。前記伝火薬３ｂは、前記イグナイタチューブ７の上方からイグナイタチューブ７の内部に挿入した、底壁に貫通孔９ａを形成した1stカップ９の下方に装入されている。
【００２８】
一方、前記第２のイグナイタ部４は、前記他方のアダプター２ｃｂに設置した点火器４ａを、他方のアダプター２ｃｂに圧入した、側壁に貫通孔８ａａを形成したキャップ８ａとチューブ８ｂからなる2ndカップ８の内部に収容した構成である。
【００２９】
また、前記第１、第２のガス発生剤５ａ，５ｂは、前記第１、第２のイグナイタ部３，４からの着火が可能な前記圧力容器２内のガス発生剤充填部に収容されている。
【００３０】
具体的には、第２のガス発生剤５ｂは、前記2ndカップ８の内部の第２のガス発生剤充填部に装入されている。また、前記第１のガス発生剤５ａは、前記イグナイタチューブ７の上方に挿入した1stカップ９の内部と前記2ndカップ８の外周部の第１のガス発生剤充填部に装入されている。
【００３１】
前記第１のガス発生剤充填部におけるディフューザ２ａの天井壁内側には、インフレータ１１の振動による第１のガス発生剤５ａの移動を防いで変形等を防止する目的でクッション部材１０を設置している。
【００３２】
図１に示すインフレータ１１では、一方のアダプター２ｃａと、これに圧入するイグナイタチューブ７、及び他方のアダプター２ｃｂと、これに圧入する2ndカップ８、の圧入部における接触面に、それぞれ凹部１２を形成している。この凹部１２は、一方のアダプター２ｃａ及び他方のアダプター２ｃｂの表面上に形成されている。
【００３３】
前記凹部１２は、アダプター２ｃａ，２ｃｂへのイグナイタチューブ７や2ndカップ８の圧入時に、接触面に噛み込んだばり等を逃がすことができるものでれば、その大きさや断面形状、ピッチは問わない。
【００３４】
例えば、図１に示すインフレータ１１では、アダプター２ｃａ，２ｃｂのそれぞれの圧入時の接触面の表面上に鋸刃状の凹部１２を螺旋状に形成している。イグナイタチューブ７或いは2ndカップ８の接触面の表面上に鋸刃状の凹部１２を螺旋状に形成してもよい。また、凹部１２の断面形状も鋸刃状に限らず、矩形状等でも良い。また、螺旋状に連続したものでなくても不連続の凹部１２を複数、並列に形成しても良い。鋸刃状の凹部１２は簡易的にねじ切削で形成しても良い。
【００３５】
このような本発明では、アダプター２ｃａ，２ｃｂへのイグナイタチューブ７や2ndカップ８の圧入時に、かじり等で発生したばり等が接触面に噛み込んだ場合でも、ばり等を凹部１２に逃がすことができる。
【００３６】
従って、アダプター２ｃａ，２ｃｂへのイグナイタチューブ７や2ndカップ８の圧入荷重が大きくなることがなく、アダプター２ｃａ，２ｃｂへのイグナイタチューブ７や2ndカップ８の圧入部における接触面に潤滑油を塗布する工程を省略できる。また、形成した凹部１２の接触面分だけ圧入部の接触面積が減少するので圧入荷重が低減する。
【００３７】
ちなみに、図１に示すインフレータ１１のように、アダプター２ｃａ，２ｃｂのそれぞれに凹部１２を形成した場合と、凹部１２を形成しない場合の圧入ストロークと圧入荷重の関係を測定した図を図２に示す。
【００３８】
図２は、アダプター２ｃａにイグナイタチューブ７を各々４回圧入した場合の測定結果を示した図であり、圧入部の内径は１６．３８mm、外径は１６．５６mmで、当該圧入部に形成した凹部１２は、深さ０．２mm、ピッチが０．２５mmの鋸刃状にねじ切削したものである。
【００３９】
図２のように、圧入ストロークが３．５mmの場合における圧入荷重は、凹部１２を形成しない従来例では６．９〜７．６kＮであるのに対して、凹部１２を形成した本発明例では３．１〜４．４kＮに減少した。
【００４０】
発明者らの実験によれば、アダプター２ｃａ，２ｃｂのそれぞれに鋸刃状の凹部１２を形成した場合、ピッチは０．２mm〜０．３５mmの範囲が望ましい。
【００４１】
ピッチが０．２mm未満であれば、凹部１２の空間が狭くなって噛み込んだばり等を逃がすことができなくなるからである。一方、ピッチが０．３５mmを超えると、噛み込んだばり等を逃がすことはできるものの、圧入荷重が小さくなりすぎて外れやすくなるからである。
【００４２】
本発明は上記の例に限らず、各請求項に記載された技術的思想の範疇に含まれるものであれば、適宜実施の形態を変更しても良いことは言うまでもない。
【００４３】
すなわち以上で述べたエアバッグ用インフレータは、本発明の好ましい例であって、これ以外の実施態様も、各種の方法で実施または遂行できる。特に本願明細書中に限定する主旨の記載がない限り、本発明は添付図面に示した詳細な部品の形状、大きさ、および構成配置等に制約されるものではない。また、本願明細書の中で用いられた表現および用語は、説明を目的としたもので、特に限定される主旨のない限り、それに限定されるものではない。
【００４４】
ばりは圧入開始部分で最も発生し易い。なぜなら、圧入開始時は、アダプター２ｃａ，２ｃｂとイグナイタチューブ７や2ndカップ８との軸中心がまだ完全に一致しておらず、圧入部の接触面同士が面で接触していないためである。そこで、図１（ａ）〜（ｃ）に示したように、圧入の接触面全域に亘って凹部１２を形成せず、図１（ｄ）に示したように、圧入の開始側部分にのみ凹部１２を形成しても良い。圧入開始側部分にのみ凹部１２を形成し、圧入初期に発生したばりを凹部１２に逃がすことによって、圧入荷重の低減効果が見込める。
【００４５】
また、凹部１２は、ねじ切削によって形成する方法を開示したが、ローレット加工によって形成したり、表面をサンドペーパー等で粗面化する方法で形成しても良い。粗面化する場合、Ｒａ（算術平均粗さ、JIS B 0601(1994)，JIS B 0031(1994)等で定義される。）の値が４０〜７０程度になるようにすると良い。
【００４６】
さらに、図１に示した例では第２のイグナイタ部４には伝火薬を装入していないが、第２のイグナイタ部４も第１のイグナイタ部３と同様、2ndカップ８の内部に伝火薬を装入しても良い。反対に、伝火薬がなくても第１のガス発生剤５ａを均一に着火できるのであれば、第１のイグナイタ部３も第２のイグナイタ部４と同様、伝火薬を省略しても良い。
【００４７】
さらに、図１に示した例では、アダプター２ｃａ，２ｃｂにのみ凹部１２を形成したが、イグナイタチューブ７や2ndカップ８にのみ凹部１２を形成しても良い。また、イグナイタチューブ７や2ndカップ８の保持強度を確保できるのであれば、アダプター２ｃａ，２ｃｂとイグナイタチューブ７や2ndカップ８の両方に凹部１２を形成しても良い。
【００４８】
また、図１はデュアルステージタイプのインフレータ１１について説明したものであるが、本発明は、図３に示したシングルステージタイプのインフレータ２１にも適用できる。なお、図３中、図１と同一番号は同一部材を示し、詳細な説明を省略する。
【００４９】
このシングルステージタイプのインフレータ２１は、図１に示したデュアルステージタイプのインフレータ１１における他方のアダプター２ｃｂ、第２のイグナイタ部４、第２のガス発生剤５ｂ、2ndキャップ８を省略したものである。
【００５０】
そして、一方のアダプター２ｃａ、第１のイグナイタ部３を圧力容器２の軸中心部に配置し、一方のアダプター２ｃａに圧入するイグナイタチューブ７の外周部に第１のガス発生剤５ａを配置したものである。この場合、イグナイタチューブ７の側壁に形成した貫通孔７ａを通って第１のガス発生剤５ａが着火される。
【００５１】
図３に示した例では、イグナイタチューブ７の上端部に嵌入したリテーナディスク２２と第１のガス発生剤５ａとの間のみならず、ベース２ｂと第１のガス発生剤５ａとの間にもクッション部材１０を設置している。
【符号の説明】
【００５２】
２    圧力容器
２ａ    ディフューザ
２ａａ    噴出孔
２ｂ    ベース
２ｃａ    一方のアダプター
２ｃｂ    他方のアダプター
３    第１のイグナイタ部
３ａ    点火器
４    第２のイグナイタ部
４ａ    点火器
５ａ    第１のガス発生剤
５ｂ    第２のガス発生剤
６    フィルター
７    イグナイタチューブ
８    2ndカップ
１１    インフレータ
１２    凹部
２１    インフレータ
【図１】
2015013546.tif 000003
【図２】
2015013546.tif 000004
【図３】
2015013546.tif 000005
【図４】
2015013546.tif 000006